(57)【要約】【課題】スリムピックアップの位置を検出可能で安価で設計マージンの高い光学的情報記録再生装置を提供する。【解決手段】情報記録媒体２２の最内周側の記録位置から最外周側の記録位置の間の任意の位置に配置されうる光ピックアップ１と、光ピックアップ１の制御回路１０と、光ピックアップ１と制御回路１０とを接続するプリント配線基板２とを有する光学式情報記録再生装置であって、光ピックアップ１には光学式の位置センサ３が搭載され、プリント配線基板２には、位置センサ２の出力光を反射させる反射スリット２ａが形成されている。【選択図】図１
2007265538.tif 000002
【特許請求の範囲】
【請求項１】
情報記録媒体の最内周側の記録位置から最外周側の記録位置の間の任意の位置に配置されうる光ピックアップと、
前記光ピックアップの制御回路と、
前記光ピックアップと前記制御回路とを接続するプリント配線基板とを有する光学式情報記録再生装置であって、
前記光ピックアップには光学式位置センサが搭載され、
前記プリント配線基板には、前記位置センサの出力光を反射させる反射スリットが形成されたことを特徴とする光学式情報記録再生装置。
【請求項２】
前記反射スリットが、前記プリント配線基板の信号パターンの一部として形成されたことを特徴とする請求項１記載の光学式情報記録再生装置。
【請求項３】
前記反射スリットが、前記プリント配線基板の信号パターンとは独立したパターンとして前記プリント配線基板上に形成されたことを特徴とする請求項１記載の光学式情報記録再生装置。
【請求項４】
前記反射スリットが形成された領域に、反射コーティング処理が施されたことを特徴とする請求項２又は３記載の光学式情報記録再生装置。
【請求項５】
情報記録媒体の最内周側の記録位置から最外周側の記録位置の間の任意の位置に配置されうる光ピックアップと、
前記光ピックアップの制御回路と、
前記光ピックアップと前記制御回路とを接続するプリント配線基板とを有する光学式情報記録再生装置であって、
前記光ピックアップには光学式位置センサが搭載され、
前記光ピックアップの底面と対向するカバー部材には、前記位置センサの出力光を反射させる反射スリットが形成されたことを特徴とする光学式情報記録再生装置。
【請求項６】
前記プリント配線基板には、前記位置センサの出力光を通過させる開口部が形成されていることを特徴とする請求項５記載の光学式情報記録再生装置。
【請求項７】
前記光ピックアップは、構成する部品が前記情報記録媒体の表面から５〜８ｍｍの範囲に配置されたスリム型であることを特徴とする請求項６記載の光学式情報記録再生装置。
【発明の詳細な説明】
【技術分野】
【０００１】
本発明は、薄型の光学式情報記録再生装置に関し、特に、光ピックアップの駆動位置を安価で精度良く検出できる光学式情報記録再生装置に関する。
【背景技術】
【０００２】
図５に、従来の薄型の光学式情報記録再生装置の構成を示す。この光学式情報記録再生装置は、光ピックアップ１、プリント配線基板２、レンズアクチュエータ５、対物レンズ６、光検出器７、レーザ駆動ＩＣ８、上面側メカカバー９ａ、スピンドルモータ９ｂ、下面側メカカバー９ｃ及び電気回路部１０を有する。
【０００３】
情報記録媒体（光ディスク）２２は、スピンドルモータ９ｂによって回転駆動される。光ピックアップ１は、レンズアクチュエータ５によって、読み出し（書き込み）位置への移動や、焦点合わせがなされる。光ピックアップ１が備えるＬＤは、レーザ駆動ＩＣ８によって駆動され、情報記録媒体２２からの反射光は光検出器７で検出される。
【０００４】
なお、光ピックアップ１は、いわゆる“スリムピックアップ”であり、情報記録媒体３の表面から光ピックアップ底面までの寸法（図５、Ａ部の寸法）は、５〜８ｍｍの間で設定される。
【０００５】
図６に、光ピックアップ１内部の光学系の構成を示す。
光ピックアップ１の光学系は、ＣＤレーザ１１、ＤＶＤレーザ１２、回折格子１３、１４、プリズム１５、ハーフミラー１６、コリメータレンズ１７、反射ミラー１８、１／４波長板１９、対物レンズ６、パワーモニタ２１を有する。
【０００６】
ＣＤレーザ１１から発せられた７８０ｎｍ帯域のレーザ光、又はＤＶＤレーザ１２から発せられた６５０ｎｍ帯域のレーザ光は、それぞれ個別の回折格子１３、１４によって複数ビームに分割透過されてプリズム１５に入射する。プリズム１５は、ＣＤレーザ１１のレーザ光は反射、ＤＶＤレーザ１２からのレーザ光は透過させ、ハーフミラー１６へと導く。ハーフミラー１６は、所定の反射効率で各レーザ光をコリメータレンズ１７側へ反射し、残りの透過光を光パワーモニタ２１の受光素子へと導く。パワーモニタ２１で検出結果はレーザ駆動ＩＣ８へと出力され、ＣＤレーザ１１又はＤＶＤレーザ１２の発光強度が制御される。
コリメータレンズ１７を透過し反射ミラー１８で反射されたレーザ光は、１／４波長板１９で円偏光へと変換され、対物レンズ６に入射する。対物レンズ６で集光された微小スポットは、情報記録媒体３の記録面に集光され、情報の記録又は再生を行う。
記録面の反射戻り光は、同じ経路を逆に辿ってハーフミラー１６へ入射し、光電変換を行う光検出器７へは偏光方向に伴う所定の透過率で入射する。光検出器の出力は、プリント配線基板２を経由して情報記録再生装置の電気回路部１０へ伝送される。
【０００７】
従来のスリムピックアップは、許容される部品配置制限のため、電気部品を搭載するプリント配線基板２としてポリイミドなどを基材とするフレキシブル基板（ＦＰＣ）を採用している。
【０００８】
このようなスリムピックアップにおいて、情報記録媒体の再生、記録位置の検出を行うには、光ピックアップ１に位置センサ３を搭載し、その出力光を反射させる反射スリット９ｄを、情報記録媒体と光ピックアップ１との間に設置されるメカカバー９ａの光ピックアップ１側に貼り付ける構造が一般的である。
通常、スリットの間隔は百数十μｍで形成され、位置センサの内部検出器で反射光のパルスを検出し光ピックアップの移動量などから記録再生位置を割り出す。
【０００９】
なお、上側メカカバー９ａ及び下側メカカバー９ｃは、ＦＰＣであるプリント配線基板２が情報記録媒体３側又はその反対側に浮き上がることを防止する。
【００１０】
なお、光ピックアップの位置検出に関する従来技術としては、特許文献１に開示される“光ピックアップ位置検出機構”があるが、磁力を用いて光ピックアップの位置を検出するため、スリム化が要求される光学式情報記録再生装置には適さない。
【特許文献１】特開平９−２８２６７４号公報
【発明の開示】
【発明が解決しようとする課題】
【００１１】
スリムピックアップを用いた従来の光学式情報記録再生装置には、二つの大きな問題があった。
第１の問題は、反射スリットの製造原価が高いことである。通常反射スリットは、ＰＥＴ材などの基材面に蒸着された銅材に反射防止処理などを施し、その上に反射スリットパターンをニッケルめっきなどで形成するのが一般的である。反射スリットは、光ピックアップに検出機能を付加するために基本的に欠かせない部品であり、検出機能を付加するためには高価であるにしても取り付けざるを得ない。
第２の問題は       、機械的寸法のマージン低下である。光ピックアップ１とメカカバー９ａとの間の空隙は量産バラツキを考慮して設計されるが、スリムやウルトラスリムなどの薄型の情報記録再生装置では僅かな厚さでも設計マージンの低減につながってしまう。
【００１２】
本発明はかかる問題に鑑みてなされたものであり、スリムピックアップの位置を検出可能で安価で設計マージンの高い光学的情報記録再生装置を提供することを目的とする。
【課題を解決するための手段】
【００１３】
上記目的を達成するため、本発明は、第１の態様として、情報記録媒体の最内周側の記録位置から最外周側の記録位置の間の任意の位置に配置されうる光ピックアップと、光ピックアップの制御回路と、光ピックアップと制御回路とを接続するプリント配線基板とを有する光学式情報記録再生装置であって、光ピックアップには光学式位置センサが搭載され、プリント配線基板には、位置センサの出力光を反射させる反射スリットが形成されたことを特徴とする光学式情報記録再生装置を提供するものである。
【００１４】
本発明の第１の態様においては、反射スリットが、プリント配線基板の信号パターンの一部として形成されることが好ましい。又は、反射スリットが、プリント配線基板の信号パターンとは独立したパターンとしてプリント配線基板上に形成されることが好ましい。これらのいずれかに加えて、反射スリットが形成された領域に、反射コーティング処理が施されることがより好ましい。
【００１５】
また、上記目的を達成するため、本発明は、第２の態様として、情報記録媒体の最内周側の記録位置から最外周側の記録位置の間の任意の位置に配置されうる光ピックアップと、光ピックアップの制御回路と、光ピックアップと制御回路とを接続するプリント配線基板とを有する光学式情報記録再生装置であって、光ピックアップには光学式位置センサが搭載され、光ピックアップの底面と対向するカバー部材には、位置センサの出力光を反射させる反射スリットが形成されたことを特徴とする光学式情報記録再生装置を提供するものである。
【００１６】
本発明の第２の態様においては、プリント配線基板には、位置センサの出力光を通過させる開口部が形成されていることが好ましい。
【００１７】
本発明の第１の態様又は第２の態様の上記のいずれの構成においても、光ピックアップは、構成する部品が前記情報記録媒体の表面から５〜８ｍｍの範囲に配置されたスリム型であることが好ましい。
【発明の効果】
【００１８】
本発明によれば、スリムピックアップの位置を検出可能で安価で設計マージンの高い光学的情報記録再生装置を提供できる。
【発明を実施するための最良の形態】
【００１９】
〔第１の実施形態〕
図１に、本実施形態にかかる光学式情報記録再生装置の構成を示す。この光学式情報記録再生装置は、光ピックアップ１、プリント配線基板２、反射スリット２ａ、位置センサ３、レンズアクチュエータ５、対物レンズ６、光検出器７、レーザ駆動ＩＣ８、上側メカカバー９ａ、スピンドルモータ９ｂ、下側メカカバー９ｃ及び電気回路部１０を有する。
なお、光ピックアップ１は、いわゆる“スリムピックアップ”であり、情報記録媒体３の表面から光ピックアップ底面までの寸法（図１、Ａ部の寸法）は、５〜８ｍｍの間で設定される。
【００２０】
光ピックアップ１の光学系としては、公知の（例えば図６に示す）構成を適用できる。
【００２１】
図２（ａ）に、プリント配線基板２の構成を示す。プリント配線基板２は、ポリイミド基材にエッチングなどの手法によって回路パターンが形成されたフレキシブルプリント配線板（以下、ＦＰＣという）である。ＦＰＣ２には、位置センサ３の出力光を反射するために通常百数十μｍ程度のスリットパターンで反射スリット２ａが形成されている。図２（ｂ）に示すように、このスリットパターンは、光ピックアップ１のグランドパターンを流用している。よって、反射スリット２ａａの形成の際には、通常のＦＰＣパターン生成と全く同じ工法を適用可能である。
【００２２】
反射スリット２ａを形成する領域はＦＰＣカバーレイの開口部とし、位置センサ３の出力光を直接受光する構成とすることが好ましい。通常ＦＰＣ２のパターンの露出部分はアルミや金、又はニッケルなどのコーティング処理が施されるため、位置センサ３の出力光を最適な反射率に設定できる材質を選定すればよい。したがって、通常のＦＰＣ作成工程と全く同じ工法で反射スリット２ａを作成することが可能である。
【００２３】
反射スリット２ａを電気的に独立させる必要がある場合は、図２（ｃ）に示すように独立パターンで形成することも可能である。
【００２４】
なお、反射スリット２ａは、ＦＰＣ２の裏面に形成する。よって、光ピックアップ１に搭載される位置センサ３は光ピックアップ１の底面側に出力光を発光するように設定される。光ピックアップ１が機構駆動系で情報記録媒体の内周から外周へ移動するとき、図２（ａ）に点線で示すように、位置センサ３とＦＰＣ２上の反射スリット２ａとは常に対向する位置に設置する。
【００２５】
ＦＰＣ２の位置は電気回路部１０に設定されたコネクタ１０ａにより自ずと位置が決定されるが、浮きなどを防止するために下側メカカバー９ｃに面接着固定されることが好ましい。
【００２６】
このように、本実施形態にかかる光学的情報記録再生装置は、ＦＰＣ２のグランドパターンを流用して形成した反射パターン２ａを用いて位置センサ３の出力光を反射できる。よって、光ピックアップの位置検出のための反射パターンの製造原価を低減し、機械的な設計マージンを大きくできる。
【００２７】
〔第２の実施形態〕
図３に、本発明を好適に実施した第２の実施形態にかかる光学的情報記録再生装置の構成を示す。また、図４（ａ）に、プリント配線基板２の構成を示す。この光学的情報記録再生装置は、第１の実施形態とほぼ同様の構成であるが、プリント配線基板２に開口部２ｂが形成されており、反射スリット９ｅが下側メカカバー９ｃに設置されている点が相違する。
【００２８】
開口部２ｂを備えることにより、図４（ｂ）に示すようにプリント配線基板２を折り曲げても位置センサ３の出力光はプリント配線基板２に遮られずに反射スリット９ｅ到達する。
【００２９】
反射スリット９ｅの厚さは、ＦＰＣ２と実質的に同等であるため、機械設計上のマージン低下を回避できる。
【００３０】
この他については第１の実施形態と同様であるため、重複する説明は省略する。
【図面の簡単な説明】
【００３１】
【図１】本発明を好適に実施した第１の実施形態にかかる光学式情報記録再生装置の構成を示す図である。
【図２】第１の実施形態にかかる光学的情報記録再生装置の光ピックアップに適用されるフレキシブルプリント基板の形状を示す図である。
【図３】本発明を好適に実施した第２の実施形態にかかる光学式情報記録再生装置の構成を示す図である。
【図４】第２の実施形態にかかる光学的情報記録再生装置の光ピックアップに適用されるフレキシブルプリント基板の形状を示す図である。
【図５】従来の光学式情報記録再生装置の構成を示す図である。
【図６】光ピックアップの光学系の構成を示す図である。
【符号の説明】
【００３２】
１    光ピックアップ
２    プリント配線基板
２ａ、９ｄ、９ｅ    反射スリット
２ｂ    開口部
３    位置センサ
５    レンズアクチュエータ
６    対物レンズ
７    光検出器
８    レーザ駆動ＩＣ
９ａ    上側メカカバー
９ｂ    スピンドルモータ
９ｃ    下側メカカバー
１０    電気回路部
１１    ＣＤレーザ
１２    ＤＶＤレーザ
１３、１４    回折格子
１５    プリズム
１６    ハーフミラー
１７    コリメータレンズ
１８    反射ミラー
１９    １／４波長板
２１    パワーモニタ
２２    情報記録媒体
【図１】
2007265538.tif 000003
【図２】
2007265538.tif 000004
【図３】
2007265538.tif 000005
【図４】
2007265538.tif 000006
【図５】
2007265538.tif 000007
【図６】
2007265538.tif 000008